【手続補正書】
【提出日】令和2年12月1日(2020.12.1)
【手続補正１】
【補正対象書類名】特許請求の範囲
【補正対象項目名】全文
【補正方法】変更
【補正の内容】
【特許請求の範囲】
【請求項１】
Ｘ線放射線を放射する放射線源と、
Ｘ線放射線を検出し、それを示す投影データを生成する検出器アレイであって、前記投影データが、複数のビューを含む、当該検出器アレイと、
前記投影データの１つおきのビューにマイナス１を乗算し、前記投影データを再構成し、ノイズのみ画像を生成する第１の処理チェーンと、
を有する撮像システム。
【請求項２】
前記第１の処理チェーンが、前記投影データの残りのビューにプラス１を乗算する、請求項１に記載の撮像システム。
【請求項３】
前記第１の処理チェーンが、前記前処理された投影データを平行ビームフォーマットにリビニングするリビニングプロセッサを含む、請求項１又は２に記載の撮像システム。
【請求項４】
前記第１の処理チェーンが、前記リビニングされた前処理された投影データを再構成し、前記ノイズのみ画像を生成する再構成プロセッサを含む、請求項３に記載の撮像システム。
【請求項５】
前記投影データを再構成し、構造及びノイズを含む体積画像データを生成する第２の処理チェーン、
を有する、請求項１乃至４のいずれか一項に記載の撮像システム。
【請求項６】
前記ノイズ画像を使用して前記体積画像データをノイズ除去し、ノイズ除去された体積画像データを生成するノイズ除去プロセッサ、
を有する、請求項５に記載の撮像システム。
【請求項７】
前記ノイズ除去プロセッサが、前記ノイズのみ画像からノイズ分散又はノイズ標準偏差の少なくとも１つを推定し、前記ノイズ分散又はノイズ標準偏差が、前記体積画像データをノイズ除去するのに使用される、請求項６に記載の撮像システム。
【請求項８】
撮像システムにより生成された投影データを受信するステップであって、前記投影データが複数のビューを含む、ステップと、
前記投影データの偶数ビューにマイナス１又はプラス１の一方を乗算し、前記投影データの奇数ビューに前記マイナス１又はプラス１の他方を乗算することにより、第１の処理チェーンを用いて前記投影データを処理するステップと、
前記処理された投影データを再構成してノイズのみ画像を生成するステップと、
を有する方法。
【請求項９】
前記前処理された投影データを平行ビームフォーマットにリビニングするステップと、
前記リビニングされたデータを再構成し、前記ノイズのみ画像を生成するステップと、
を有する、請求項８に記載の方法。
【請求項１０】
前記投影データを再構成して構造の画像を生成する第２の処理チェーンを用いて前記投影データを処理するステップ、
を有する、請求項８又は９に記載の方法。
【請求項１１】
前記投影データを平行ビームフォーマットにリビニングするステップと、
前記リビニングされたデータを再構成し、前記構造の画像を生成するステップと、
を含む、請求項１０に記載の方法。
【請求項１２】
関心領域の局所的ノイズ分散又はノイズ標準偏差を取り、これを画像中で移動させることにより前記ノイズのみ画像に基づいてノイズ分散又はノイズ標準偏差の少なくとも１つを推定するステップ、
を有する、請求項９に記載の方法。
【請求項１３】
前記ノイズのみ画像に基づいて前記構造の画像をノイズ除去し、ノイズ除去された構造の画像を生成するステップ、
を有する、請求項１１又は１２に記載の方法。
【請求項１４】
計算システムのプロセッサにより実行される場合に、前記プロセッサに、
撮像システムによって生成された、複数のビューを含む投影データを受け取るステップと、
前記投影データの偶数ビューにマイナス１又はプラス１の一方を乗算し、前記投影データの奇数ビューに前記マイナス１又はプラス１の他方を乗算するよう構成された第１の処理チェーンを用いて前記投影データを処理するステップと、
前記処理された投影データを再構成してノイズのみ画像を生成するステップと、
を実行させる、１以上のコンピュータ実行可能命令をエンコードされたコンピュータ可読記憶媒体。
【手続補正２】
【補正対象書類名】明細書
【補正対象項目名】００３８
【補正方法】変更
【補正の内容】
【００３８】
本発明は、好適な実施例を参照して説明されている。修正例及び変更例は、先行する詳細な説明を読み、理解すると、他者が思いつきうる。本発明は、添付の請求項又はその同等物の範囲に入る限り、全てのこのような修正例及び変更例を含むと解釈されることを意図される。
以下、本発明の各種形態を付記する。
（付記１）
Ｘ線放射線を放射する放射線源と、
Ｘ線放射線を検出し、それを示す投影データを生成する検出器アレイであって、前記投影データが、複数のビューを含む、当該検出器アレイと、
前記投影データを再構成し、ノイズのみ画像を生成する第１の処理チェーンと、
を有する撮像システム。
（付記２）
前記第１の処理チェーンが、前記ビューに所定の乗算係数を乗算し、前処理された投影データを生成する投影データプロセッサを含む、付記１に記載の撮像システム。
（付記３）
前記所定の乗算係数が、前記前処理された投影データの１つおきのビューにマイナス１を乗算する、付記２に記載の撮像システム。
（付記４）
前記所定の乗算係数が、前記前処理された投影データの残りのビューにプラス１を乗算する、付記３に記載の撮像システム。
（付記５）
前記第１の処理チェーンが、前記前処理された投影データを平行ビームフォーマットにリビニングするリビニングプロセッサを含む、付記２乃至４のいずれか一項に記載の撮像システム。
（付記６）
前記第１の処理チェーンが、前記リビニングされた前処理された投影データを再構成し、前記ノイズのみ画像を生成する再構成プロセッサを含む、付記５に記載の撮像システム。
（付記７）
前記投影データを再構成し、構造及びノイズを含む体積画像データを生成する第２の処理チェーン、
を有する、付記１乃至６のいずれか一項に記載の撮像システム。
（付記８）
前記ノイズ画像を使用して前記体積画像データをノイズ除去し、ノイズ除去された体積画像データを生成するノイズ除去プロセッサ、
を有する、付記７に記載の撮像システム。
（付記９）
前記ノイズ除去プロセッサが、前記ノイズのみ画像からノイズ分散又はノイズ標準偏差の少なくとも１つを推定し、前記ノイズ分散又はノイズ標準偏差が、前記体積画像データをノイズ除去するのに使用される、付記８に記載の撮像システム。
（付記１０）
撮像システムにより生成された投影データを受信するステップであって、前記投影データが複数のビューを含む、ステップと、
前記投影データを再構成してノイズのみ画像を生成する第１の処理チェーンを用いて前記投影データを処理するステップと、
を有する方法。
（付記１１）
前記投影データを処理するステップが、
前処理された投影データを生成するように前記投影データのビューに所定の乗算係数を乗算するステップ、
を含む、付記１０に記載の方法。
（付記１２）
前記乗算するステップが、
偶数ビューにマイナス１又はプラス１の一方を乗算し、奇数ビューにマイナス１又はプラス１の他方を乗算するステップ、
を含む、付記１１に記載の方法。
（付記１３）
前記前処理された投影データを平行ビームフォーマットにリビニングするステップと、
前記リビニングされたデータを再構成し、前記ノイズのみ画像を生成するステップと、
を有する、付記１１乃至１２のいずれか一項に記載の方法。
（付記１４）
前記投影データを再構成して構造の画像を生成する第２の処理チェーンを用いて前記投影データを処理するステップ、
を有する、付記１０乃至１２のいずれか一項に記載の方法。
（付記１５）
前記投影データを平行ビームフォーマットにリビニングするステップと、
前記リビニングされたデータを再構成し、前記構造の画像を生成するステップと、
を含む、付記１４に記載の方法。
（付記１６）
関心領域の局所的ノイズ分散又はノイズ標準偏差を取り、これを画像中で移動させることにより前記ノイズのみ画像に基づいてノイズ分散又はノイズ標準偏差の少なくとも１つを推定するステップ、
を有する、付記１３に記載の方法。
（付記１７）
前記ノイズのみ画像に基づいて前記構造の画像をノイズ除去し、ノイズ除去された構造の画像を生成するステップ、
を有する、付記１５乃至１６のいずれか一項に記載の方法。
（付記１８）
計算システムのプロセッサにより実行される場合に、前記プロセッサに、
Ｘ線撮像システムを用いてオブジェクト又は対象をスキャンさせ、複数のビューを含む投影データを生成させ、
前記投影データを再構成してノイズのみ画像を生成する第１の処理チェーンを用いて前記投影データを処理させ、
前記投影データを再構成して構造画像を生成する第２の処理チェーンを用いて前記投影データを処理させ、
前記ノイズのみ画像に基づいて前記構造画像をノイズ除去させる、
１以上のコンピュータ実行可能命令をエンコードされたコンピュータ可読記憶媒体。
（付記１９）
前記プロセッサが、
前処理された投影データを生成するように前記投影データのビューに所定の乗算係数を乗算し、
前記前処理された投影データを平行ビームフォーマットにリビニングし、
前記ノイズのみ画像を生成するように前記リビニングされたデータを再構成する、
付記１８に記載のコンピュータ可読記憶媒体。
（付記２０）
前記プロセッサが、
前処理された投影データを生成するように前記投影データに交互打ち消しを使用する、
付記１８に記載のコンピュータ可読記憶媒体。